(57)【要約】【課題】着用者の腰まわりの任意の位置にカイロを密着させる。【解決手段】衣服本体としてのスパッツ１０と、伸縮性を有する布地により作製される筒状の帯体１１とからなる。帯体１１は、その内部にカイロ１４を収納する収納部１６を有しており、その収納部１６からカイロ１４を出し入れできる切り込み１５を形成する。上記スパッツ１０のウエスト部１２および両膝部１３、１３に沿って帯体１１を環状に取り付ける。このスパッツ１０を着用すると、ウエスト部１２および両膝部１３に取り付けた帯体１１が、着用者の腰まわりおよび両膝の周囲を締め付けて、収納部１６内のカイロ１４を着用者の肌に密着させる。このとき、帯体１１の収納部１６内の使い捨てカイロ１４は、着用者の温めたい位置、腰もしくは腹、または膝まわりに移動できるので、その位置を効果的に温めることができる。【選択図】図１
0003131054.tif 000002
【実用新案登録請求の範囲】
【請求項１】
衣服本体と、伸縮性を有する布地により作製される筒状の帯体(１１)とからなり、前記帯体(１１)は、その内部にカイロ(１４)を収納する収納部(１６)と、前記カイロ(１４)を出し入れする取り出し口(１５)を有し、前記帯体(１１)を前記衣服本体に着用者の体の一部を締め付ける状態に取り付けたカイロ収納部付き衣服。
【請求項２】
上記衣服本体は、ボトム(１０)であり、上記帯体(１１)を前記ボトム(１０)のウエスト部（１２）に環状に取り付けた請求項１に記載のカイロ収納部付き衣服。
【請求項３】
上記帯体(１１)を、上記ボトム(１０)の着用者の膝を締め付ける位置に取り付けた請求項２に記載のカイロ収納部付き衣服。
【考案の詳細な説明】
【技術分野】
【０００１】
この考案は、カイロを出し入れ可能に収納する収納部を、衣服本体の着用者の体に一部を締め付ける位置に形成したカイロ収納部付き衣服に関する。
【背景技術】
【０００２】
従来から、冬季などの寒さの厳しいときなどに、腰や腹、背中などの体の一部を温めるために、使い捨てカイロをその部分に直接に貼り付けたり、その部分に当るように衣服の内側に貼り付けたりしていた。
【０００３】
また、ウエスト部を有する衣服、例えばボトムのウエスト部の腹部と腰部の２箇所にポケットを設け、そのポケットに使い捨てカイロを収納して、ポケット内のカイロが着用者の腹や腰に当るようにしたポケット付きボトムが知られている（例えば、実用新案登録第３１１４３９６号公報  図１参照）。
【０００４】
このボトムは、ウエスト部の腹部や腰部のポケット内にカイロを入れることにより、着用者が温めたい腰や腹にカイロを当てがい、その部分を温めることができる。
【考案の開示】
【考案が解決しようとする課題】
【０００５】
しかしながら、上記のポケット付きボトムは、そのポケット上端部がボトム本体のウエスト部に固定されているため、着用者が動くとポケットが揺れて、はき心地が悪くなり、さらに、ポケット内のカイロが肌に密着しにくい。このため、着用者の腹や腰などを効果的に温めることが難しいという問題があった。
【０００６】
また、上記ポケットは、ボトムのウエスト部の腹部と腰部の２箇所に固定されているので、着用者の希望する腰まわりの温めたい部分を温めることができない。
【０００７】
そこで、この考案は、着用者の体の一部、特に腰周りの任意の位置にカイロを密着させることを課題とする。
【課題を解決するための手段】
【０００８】
上記の課題を解決するために、この考案は、衣服本体と、伸縮性を有する布地により作製される筒状の帯体とからなり、前記帯体は、その内部にカイロを収納する収納部と、前記カイロを出し入れする取り出し口を有し、前記帯体を前記衣服本体に着用者の体の一部を締め付ける状態に取り付けた構成を採用したのである。
【０００９】
この構成によると、上記帯体の収納部にカイロを入れ、カイロを着用者の体の温めたい位置に移動させることができる。このため、帯体の締め付けによりカイロをその温めたい位置に押し付け、帯体が締め付ける着用者の体の一部において、着用者の体の温めたい任意の位置にカイロを密着させることができる。
【００１０】
上記構成において、上記衣服本体は、ボトムであり、上記帯体を前記ボトムのウエスト部に環状に取り付けたものとすれば、帯体の収納部にカイロを入れ、着用者のウエスト周りの温めたい位置に移動させることができ、帯体の締め付けによって温めたい位置での任意の位置にカイロを密着させることができる。
【００１１】
また、上記帯体の内部に形成された収納部内にカイロを入れ、着用者の腰周りの温めたい位置に移動させると、カイロを入れた帯体がその伸縮により着用者の腰周りを締め付けているので、腰周りの温めたい位置にカイロを密着させることができる。
【００１２】
さらに、上記帯体を上記ボトムの、着用者の膝を締め付ける位置に取り付けたものであれば、着用者の膝周りの温めたい位置にカイロを密着させることができる。
【考案の効果】
【００１３】
以上のように構成したので、この考案は、帯体が締め付ける着用者の体の一部において、着用者の体の温めたい任意の位置にカイロを密着させ、その位置をカイロにより温めることができる。
【考案を実施するための最良の形態】
【００１４】
以下、この考案の実施形態を図１〜図４に示す。この実施形態は衣服本体として、下半身に着用し、ウエスト部を有するボトムのうち、特にスパッツを用いた場合を説明する。
【００１５】
この実施形態のカイロ収納部付き衣服は、図１に示すように、スパッツ１０と、伸縮性を有する素材により作製される筒状の帯体１１とからなり、この帯体１１を着用者の体の一部を締め付ける状態に、すなわち、着用者の腰周りおよび両膝を締め付ける状態にスパッツ１０のウエスト部１２および両膝部１３、１３に取り付けたものである。
【００１６】
上記スパッツ１０は、伸縮性を有するニット素材より作製されており、着用者の腰周りを締め付けるウエスト部１２を有し、着用者の肌に密着するように腰から両脚を包む。
【００１７】
このスパッツ１０に取り付ける帯体１１は、帯状に裁断した長尺の伸縮性を有する素材、たとえば、パワーネットにより作製し、その幅方向の側端部を重ね合わせ、その重ね合わせ部分の全長を縫い合わせて筒状に作製したものである（図２参照）。この帯体１１を筒状に作製することにより、その内部に使い捨てカイロ１４（以下、単にカイロ１４という）を収納する収納部１６が形成される。
【００１８】
上記筒状の帯体１１は、スパッツ１０のウエスト部１２外側の全周に当てがわれ、その両側端部（図２中の上下側端部）をウエスト部１２に縫い付けることにより、ウエスト部１２に環状に取り付けられる（図３参照）。
【００１９】
このように、筒状の帯体１１がスパッツ１０のウエスト部１２に取り付けられると、（図２参照）、収納部１６内に収納したカイロ１４を、着用者の腰まわりの温めたい任意の位置に移動させることができる。
【００２０】
また、このウエスト部１２の帯体１１は、上述のように伸縮性を有するニット素材（パワーネット）により作製されているので、スパッツ１０を着用すると着用者の腰まわりを締め付ける。これにより、帯体１１の収納部１６内のカイロ１４が着用者の腰まわりに密着する。なお、前記帯体１１は、スパッツ１０のウエスト部１２の内側の全周に取り付けてもよく、要は、ウエスト部１２に沿って帯体１１を環状に取り付ければよい。
【００２１】
さらに、図３に示すように、上記帯体１１は、その上側端部にカイロ１４の取り出し口として切り込み１５をスパッツ１０のウエスト部１２の周方向に有する。この切り込み１５を通して帯体１１の収納部１６にカイロ１４を収納または、取り出すことができる。
【００２２】
なお、この切り込み１５のスパッツ１０のウエスト部１２に対する位置およびその数は、特に限定しないが、例えば、ウエスト部１２の腹、腰付近の２箇所に形成すれば、カイロ１４を収納部１６に収納して、着用者の腹や腰などの部分にすぐに移動させることができる。
【００２３】
また、図１に示すように、上記帯体１１は、スパッツ１０の両膝部１３の周囲の、着用者の膝を締め付ける位置に当てがわれ、その両側端部と両膝部１３を縫い付けて、両膝部１３、１３に環状に取り付けられる。
【００２４】
このように、筒状の帯体１１がスパッツ１０の両膝部１３に取り付けられると、収納部１６内に収納したカイロ１４を、着用者の膝周りの温めたい任意の位置に移動させることができる。
【００２５】
また、この両膝部１３の帯体１１は、上述のように伸縮性を有するニット素材（パワーネット）により作製されているので、スパッツ１０を着用すると着用者の膝周りを締め付ける。これにより、帯体１１の収納部１６内のカイロ１４を着用者の膝の周りに密着させることができる。また、この帯体１１の上側端部に切り込み１５が設けられ、その切り込み１５を通して帯体１１の収納部１６にカイロ１４を収納、または出し入れすることができる。
【００２６】
この実施形態のカイロ収納部付き衣服は、以上のように構成され、上記スパッツ１０を着用すれば、図４に示すように、そのウエスト部１２および両膝部１３に取り付けた帯体１１が、着用者の腰まわりおよび両膝の周囲を締め付けて、収納部１６内のカイロ１４を着用者の腹や腰、膝などに密着させることができる。
【００２７】
このとき、収納部１６内のカイロ１４を着用者の腹や腰、膝などの温めたい任意の位置に移動させているので、その位置を効果的に温めることができる。また、上記帯体１１の締め付けにより、着用者の腰や膝にねじれや横ズレなどの無理な力が掛かるのを防止するので、サポーターとして使用することができる。
【図面の簡単な説明】
【００２８】
【図１】この考案の実施形態のカイロ収納部付き衣服を示す一部切り欠き正面図
【図２】同上の帯体を取り付けた状態を示す要部拡大の縦断面図
【図３】同上の帯体をウエスト部に取り付けた状態を示す要部背面図
【図４】同上の使用状態を示す斜視図
【符号の説明】
【００２９】
１０  スパッツ
１１  帯体
１２  ウエスト部
１３  膝部
１４  使い捨てカイロ
１５  切り込み
１６  収納部
【図１】
0003131054.tif 000003
【図２】
0003131054.tif 000004
【図３】
0003131054.tif 000005
【図４】
0003131054.tif 000006